(57)【要約】【課題】カセット抜き取り時に何らかの理由で用紙が本体内に残っている場合には，カセットを本体に適正に装着することができない給紙装置を提供する。【解決手段】用紙を積層状態で収納した給紙カセット１０を，給紙装置本体２０に対して抜き差し可能に構成し，給紙カセット１０における，その抜き差し方向に関する奥面１７と，給紙装置本体２０における，奥面との対向面２５とに，互いに嵌り合う凹凸部１８，２６をそれぞれ設けた。凹凸部１８，２６は，給紙カセット１０の抜き差し方向と直交する方向における用紙長さ略全長に亘って複数組み設けた。【選択図】図４
2006199386.tif 000002
【特許請求の範囲】
【請求項１】
用紙を積層状態で収納した給紙カセットを，給紙装置本体に対して抜き差し可能に構成した給紙装置であって，
前記給紙カセットにおける，その抜き差し方向に関する奥面と，前記給紙装置本体における，前記奥面との対向面とに，互いに嵌り合う凹凸部をそれぞれ設けたことを特徴とする給紙装置。
【請求項２】
前記凹凸部を，前記給紙カセットの抜き差し方向と直交する方向における用紙長さ略全長に亘って複数組み設けたことを特徴とする請求項１記載の給紙装置。
【発明の詳細な説明】
【技術分野】
【０００１】
本発明は，プリンター、ファクシミリ、複写機等の画像形成装置に適用される給紙装置に関する。特に，給紙カセット抜き取り時における紙残り対策に関するものである。
【背景技術】
【０００２】
従来，用紙（シート状記録材）を積層状態で収納した給紙カセットを，給紙装置本体に対して抜き差し可能に構成した給紙装置が知られており，給紙カセットにおける，その抜き差し方向に関する奥面は，平面状に構成されていた（例えば特許文献１参照）。
【特許文献１】特開平６−３２９２７０号公報
【発明の開示】
【発明が解決しようとする課題】
【０００３】
上述した従来の給紙装置では，給紙カセット（以下単にカセットともいう）における，その抜き差し方向に関する奥面が平面状に構成されていたので，カセット抜き取り時に何らかの理由で用紙が給紙装置本体（以下単に本体ともいう）内に残った場合でも，ユーザーはそれに気づかずに再びカセットを挿入して給紙装置を使用することがあった。
この場合，本体に残った用紙（以下，残留紙ともいう）は，カセット奥面と，本体における前記奥面との対向面との間に挟まれた状態でかつグジャグジャに乱れた状態で残ることがあり，この残留紙の一部が，カセットから給送される用紙に接触し，給送される用紙に対して抵抗となって，給送される用紙が適正に給送されずに，給送不良や斜行が生じるという問題があった。
本発明の目的は，以上のような問題を解決し，カセット抜き取り時に何らかの理由で用紙が本体内に残っている場合には，カセットを本体に適正に装着することができない給紙装置を提供することにある。
【課題を解決するための手段】
【０００４】
上記目的を達成するために本発明の給紙装置は，用紙を積層状態で収納した給紙カセットを，給紙装置本体に対して抜き差し可能に構成した給紙装置であって，
前記給紙カセットにおける，その抜き差し方向に関する奥面と，前記給紙装置本体における，前記奥面との対向面とに，互いに嵌り合う凹凸部をそれぞれ設けたことを特徴とする。
このような構成によれば，カセット抜き取り時に何らかの理由で用紙が本体内に残っている場合に，その後再びカセットを挿入すると，上記凹部と凸部との間に，上記残留紙が介在されることで，上記凹部と凸部との嵌り合いが阻害され，結果としてカセットを本体に対してセットすることができなくなる。これによってユーザは異常に気づき，上記残留紙を除去する。
したがって，本体内に残留紙が残ったままの状態で給紙装置が使用されるということがなくなり，結果として，給送不良や斜行が生じるということがなくなる。
望ましくは，前記凹凸部を，前記給紙カセットの抜き差し方向と直交する方向における用紙長さ略全長に亘って複数組み設ける。
このように構成すれば，残留紙がある場合，その位置にかかわらず，ほとんどの位置において，上記凹部と凸部との嵌り合いが阻害されることとなるので，本体内に残留紙が残ったままの状態での給紙装置の使用をより確実に防止することができる。
【発明を実施するための最良の形態】
【０００５】
以下，本発明に係る給紙装置の実施の形態について図面を参照して説明する。
図１は，本発明に係る給紙装置の一実施の形態の給紙装置本体を示す図で，（ａ）は斜視図，（ｂ）は正面図（カセット挿入方向から見た図）である。
図２は給紙カセットの斜視図である。
図３はカセットが挿入された状態の給紙装置を示す図で，（ａ）は正面図，（ｂ）は図（ａ）におけるｂ−ｂ断面図，（ｃ）は残留紙がある場合の図（ａ）におけるｂ−ｂ断面図である。
図４（ａ）は図３（ｂ）の部分拡大図，図４（ｂ）は図３（ｃ）の部分拡大図である。
【０００６】
図３に示すように，また後述するように，この給紙装置１は，給紙カセット１０を，給紙装置本体２０に対して抜き差し可能に構成した給紙装置である。
図１に示すように，給紙装置本体２０は，カセット収納部２１と，このカセット収納部２１への給紙カセット１０の抜き差し口２２と，給紙カセット１０内の用紙（図示せず）を一枚ずつ図示しない画像形成装置へ給送する給紙ローラ２３と，この給紙ローラ２３により給送される用紙を画像形成装置本体内に搬送する搬送ローラ対２４とを有している。
【０００７】
図２に示すように，給紙カセット１０は，給送されるべき用紙（図示せず）が積層状態で収納される略箱形状のカセット本体１１と，このカセット本体１１内に軸１２で回動可能に取り付けられた押上板１３と，カセット本体１１に設けられていて，押上板１３で押し上げられ前記給紙ローラ２３で給送される最上位の用紙の給送方向（図１矢印Ｆ方向）前縁両角部と係合することにより当該最上位の用紙両角部に撓み付けすることで当該最上位の用紙を次位の用紙と分離させるための一対の分離爪１４と，積層された用紙の後端位置を規制する後端位置規制部材１５と，積層された用紙の両側縁部の位置を規制しかつ，給送される用紙の両側縁部をガイドする一対のサイドガイドユニット１６とを有している。分離爪１４はサイドガイドユニット１６にそれぞれ設けられている。
押上板１３とカセット本体１１底部との間には，図示しないコイルバネが設けられていて，このコイルバネで押上板１３が押し上げられ，用紙が給紙ローラ２３に対して押圧されるようになっている。
【０００８】
給紙カセット１０は，給紙装置本体２０のカセット収納部２１に対し用紙の給送方向Ｆと直交方向（図１，図２において矢印Ｘ方向）に，抜き差しされる。
このように，給紙カセット１０が給紙装置本体２０に対して抜き差しされる構成であると，カセット１０の抜き取り時に何らかの理由で用紙が給紙装置本体２０内に残ってしまうことがある。例えば，給紙装置の使用時に給紙ローラ２３部分で詰まった用紙を取り除くべく，給紙カセット１０を抜き取り，詰まった用紙を摘んで引き抜いた際に，当該用紙が破けてその一部が給紙装置本体２０内に残ってしまうこともある。
例えば，このようにして用紙が給紙装置本体２０内に残った状態で，仮にユーザーがそれに気づかずに再びカセットを挿入して給紙装置を使用すると，本体に残った用紙は，カセット奥面と，本体における前記奥面との対向面との間に挟まれた状態でかつグジャグジャに乱れた状態で残ることがあり，この残留紙の一部が，カセットから給送される用紙に接触し，給送される用紙に対して抵抗となって，給送される用紙が適正に給送されずに，給送不良や斜行が生じることがある。
【０００９】
そこで，この実施の形態では，給紙カセット１０における，その抜き差し方向Ｘに関する奥面１７（図２，図４参照）と，給紙装置本体２０における，前記奥面１７との対向面２５（図１，図４参照）とに，互いに嵌り合う凹凸部をそれぞれ設けてある。
より具体的には，図１および，図４（ａ）に示すように，給紙装置本体２０の上記対向面２５に凸部２６を設け，この凸部２６と対向する位置において，図４（ａ）に示すように，給紙カセット１０の上記奥面１７に，凸部２６が挿入される（緩く嵌り合う）凹部１８を設けてある。
これら凸部２６と凹部１８は，給紙カセット１０の抜き差し方向Ｘと直交する方向Ｆにおける用紙長さ略全長に亘って複数組み設けてある（図１において一連の凸部２６のみを示す）。図示のものは１３組設けてある。
【００１０】
このように構成すると，カセット抜き取り時に何らかの理由で用紙が本体内に残っている場合に，その後再びカセット１０を挿入すると，図４（ｂ）に示すように，上記凹部１８と凸部２６との間に，上記残留紙Ｓが介在されることで，上記凹部１８と凸部２６との嵌り合いが阻害され，結果としてカセット１０を本体２０に対して適正にセットすることができなくなる。これによってユーザは異常に気づき，上記残留紙Ｓを除去する。あるいは，給紙装置本体２０に，給紙カセット１０が適正に装着されたことを検出する検出手段を設け，給紙カセット１０が適正に装着されない場合には，図示しない表示手段にその旨の表示をする等してユーザーに注意を促すように構成することもできる。
仮に，残留紙Ｓが残ったまま，ユーザーがそれに気づかずに再びカセットを挿入して給紙装置を使用すると，残留紙Ｓの一部Ｓａ（図４（ｂ）参照）が，カセットから給送される用紙に接触し，給送される用紙に対して抵抗となって，給送される用紙が適正に給送されずに，給送不良や斜行が生じるおそれがあるが，この実施の形態によれば，そのようなことがなくなる。
【００１１】
以上のように，この実施の形態の給紙装置１は，用紙を積層状態で収納した給紙カセット１０を，給紙装置本体２０に対して抜き差し可能に構成した給紙装置であって，給紙カセット１０における，その抜き差し方向に関する奥面１７と，給紙装置本体２０における，前記奥面１７との対向面２５とに，互いに嵌り合う凹凸部（１８，２６）をそれぞれ設けてあるので，カセット抜き取り時に何らかの理由で用紙が本体２０内に残っている場合に，その後再びカセット１０を挿入すると，上記凹部１８と凸部２６との間に，上記残留紙Ｓが介在されることで，上記凹部１８と凸部２６との嵌り合いが阻害され，結果としてカセット１０を本体２０に対してセットすることができなくなる。これによってユーザは異常に気づき，上記残留紙Ｓを除去する。
したがって，本体２０内に残留紙Ｓが残ったままの状態で給紙装置１が使用されるということがなくなり，結果として，給送不良や斜行が生じるということがなくなる。
また，前記凹凸部（１８，２６）を，給紙カセット１０の抜き差し方向と直交する方向における用紙長さ略全長に亘って複数組み設けてあるので，残留紙Ｓがある場合，その位置にかかわらず，ほとんどの位置において，上記凹部１８と凸部２６との嵌り合いが阻害される。
したがって，本体２０内に残留紙Ｓが残ったままの状態での給紙装置１の使用をより確実に防止することができる。
【００１２】
以上，本発明の実施の形態について説明したが，本発明は上記の実施の形態に限定されるものではなく，本発明の要旨の範囲内において適宜変形実施可能である。
【図面の簡単な説明】
【００１３】
【図１】本発明に係る給紙装置の一実施の形態の給紙装置本体を示す図で，（ａ）は斜視図，（ｂ）は正面図。
【図２】給紙カセットの斜視図。
【図３】カセットが挿入された状態の給紙装置を示す図で，（ａ）は正面図，（ｂ）は図（ａ）におけるｂ−ｂ断面図，（ｃ）は残留紙がある場合の図（ａ）におけるｂ−ｂ断面図。
【図４】（ａ）は図３（ｂ）の部分拡大図，（ｂ）は図３（ｃ）の部分拡大図。
【符号の説明】
【００１４】
１：給紙装置，１０：給紙カセット，１７：奥面，１８：凹部，２０：給紙装置本体，２５：対向面，２６：凸部。
【図１】
2006199386.tif 000003
【図２】
2006199386.tif 000004
【図３】
2006199386.tif 000005
【図４】
2006199386.tif 000006